(57)【要約】【課題】遠赤放射体が熱膨張しても遠赤放射体の回転停止、異音の発生をなくして、穀物に均等に遠赤外線を照させることで高品質で効率よく乾燥できる遠赤外線利用の穀物乾燥機を提供する。【解決手段】遠赤外線放射体の回転動力は、穀物取出槽の排出ロールから伝達を受けて遠赤放射体は回転し、遠赤外線放射体の一端は穀物の散粒状面ないし薄層状面方向に対して平行方向に移動しないよう構成され、他端は遠赤外線放射体の膨張によって生じた寸法のズレを修正する回転駆動部を設けられていて、バーナ方向の軸支部に外気吸気口を冷却口として、軸受を熱からまもる用にした。【選択図】          図３
2004301463.tif 000002
【特許請求の範囲】
【請求項１】
散粒状ないし薄層状に流動する部位の穀物に対向させて遠赤外線放射体を設け、遠赤外線放射体は遠赤外線放射体が熱膨張で軸方向に伸長しても、穀物が散粒状ないし薄層状に流動する穀物の部位に対する面が転換されるように回転するよう構成された遠赤外線利用の穀物乾燥装置
【請求項２】
散粒状ないし薄層状に流動する部位の穀物に対向させて遠赤外線放射体を設け、遠赤外線放射体は穀物が散粒状ないし薄層状に流動する穀物の部位に対する面が転換されるように回転するよう構成された穀物乾燥機において、遠赤外線放射体の一端は遠赤外線放射体の軸方向に対して、移動しないよう構成された遠赤外線利用の穀物乾燥装置。
【請求項３】
穀物乾燥機の本体の上段に穀物貯留槽、中段に通風乾燥部、下段に穀物取出槽をそれぞれ設け、穀物貯留槽に貯留した穀物を通風乾燥部、穀物取出槽、穀物貯留槽の経路で循環流動させながら通風乾燥部で通風乾燥し、穀物取出槽内に、通風乾燥部から穀物が散粒状ないし薄層状に流下する穀物に遠赤外線を照射する遠赤外線放射体を設けて、この遠赤外線放射体を時間の経過に伴って流動する穀物に対向する面が転換されるように回転するよう構成された穀物乾燥機において、遠赤外線放射体の一端は遠赤外線放射体の軸方向に対して移動しないよう構成された遠赤外線利用の穀物乾燥装置。
【請求項４】
遠赤外線放射体の一端は遠赤外線放射体の軸方向に対して移動しないよう構成し、他端は遠赤外線放射体の膨張によって生じた伸長のズレを修正する回転駆動部を設けたことを特徴とする請求項１ないし請求項３いずれかに記載の遠赤外線利用の穀物乾燥装置。
【請求項５】
遠赤外線放射体の回転動力は、穀物取出槽の繰出ロールから伝達を受けることを特徴とする請求項１ないし請求項４いずれかに記載の遠赤外線利用の穀物乾燥装置。
【請求項６】
遠赤外線放射体の一端に設けられた遠赤外線放射体の軸方向に対して、移動しないよう構成された軸受装置には、外気吸気口を用いた冷却口を備えたことを特徴とする請求項１ないし請求項５いずれかに記載の遠赤外線利用の穀物乾燥装置。
【請求項７】
遠赤外線放射体の両端に設けられた軸受のコロの素材をリン青銅としたことを特徴とする請求項１ないし請求項６のいずれかに記載の遠赤外線利用の穀物乾燥装置。
【発明の詳細な説明】
【０００１】
【発明の属する技術分野】
本発明は、穀物を散粒状ないし薄層状に流動させながら遠赤外線を照射することにより穀物を乾燥する、遠赤外線利用の穀物乾燥機に関する。
【０００２】
【従来の技術】
穀物乾燥機の本体の上段に穀物貯留槽、中段に通風乾燥部、下段に穀物取出槽をそれぞれ設け、穀物貯留槽に貯留した穀物を通風乾燥、穀物取出槽、穀物貯留槽の経路で循環させながら通風乾燥部で通風乾燥する穀物乾燥機は、特公平５−２２８３４号公報または特開平６−３０５２号公報に記載されており、この従来の穀物乾燥機においては、通風乾燥部の乾燥通路を流下する穀物に、乾燥通路の側面から乾燥通路を横切るように遠赤外線を照射することにより、遠赤外線による乾燥も併せて施して乾燥の効率を図っている。
【０００３】
また、出願人は通風乾燥から穀物が散粒状ないし薄層状に流下する穀物取出槽内に遠赤外線放射体を設けることにより、循環流動する穀物に遠赤外線を均等に照射して乾燥ムラ無く均等に乾燥することが出来る遠赤外線利用穀物乾燥機を提案するに至り（特開平８−１４７４５号公報参照）、しかも通風乾燥部から穀物が散粒状ないし薄層状に流下する穀物取出槽内で穀物に混在する塵埃等が、遠赤外線放射体上面に堆積して起こる火災の防止と、遠赤外線放射体から均一に遠赤を放射させムラ無く穀物を乾燥させるための遠赤外線放射体を回転させる発明、特開平１０−８２５８６号公報の遠赤外線利用の穀物乾燥機を提案に至っている。
【０００４】
【発明が解決しようとする課題】
穀物を遠赤外線で乾燥するには、穀物に含まれる水分に遠赤外線を有効に吸収させることが重要である。通常水は波長３μｍと６μｍの遠赤外線を吸収しやすいとされているので、波長３μｍから６μｍの遠赤外線を放射させるためには遠赤外線放射体の表面温度は、波長３μｍで約７００℃、波長６μｍで約２１０℃である。
【０００５】
遠赤外線放射体は通常ステンレス鋼が多用されているが、乾燥すなわち水に吸収されやすい遠赤外線を放射するための放射体の必要温度、２１０℃から７００℃に遠赤外線放射体を加熱するとステンレス鋼、例えばＳＵＳ３０４の熱膨張係数は１８．９×１０−６／℃（０〜７００℃）であって、遠赤外線放射体の全長を２０００ｍｍとすると約２５ｍｍ放射体自体が膨張してしまう。
【０００６】
特に遠赤外線放射体を回転させる構造であっては遠赤外線放射体の全長が伸びることで異音の発生や遠赤外線放射体の両端が側壁に接触しての回転停止、回転駆動装置からの離脱などの不具合が発生してしまう。
【０００７】
そこで本発明は、遠赤外線放射体が熱膨張しても遠赤外線放射体の回転停止、異音の発生をなくして、穀物に均等に遠赤外線を照させることで高品質で効率よく乾燥できる遠赤外線利用の穀物乾燥機を提供することを目的としている。
【０００８】
【課題を解決するための手段】
前記目的を達成させるために、本発明における遠赤外線利用の穀物乾燥機においては、請求項１ないし請求項７に係る遠赤外線利用の穀物乾燥機を提案するものである。
【０００９】
即ち、請求項１に係る遠赤外線利用の穀物乾燥機は、散粒状ないし薄層状に流動する部位の穀物に対向させて遠赤外線放射体を設け、遠赤外線放射体は遠赤外線放射体が熱膨張で軸方向に伸長しても、穀物が散粒状ないし薄層状に流動する穀物の部位に対する面が転換されるように回転するよう構成したことを特徴とするものである。
【００１０】
請求項２係る遠赤外線利用の穀物乾燥機は、散粒状ないし薄層状に流動する部位の穀物に対向させて遠赤外線放射体を設け、遠赤外線放射体は穀物が散粒状ないし薄層状に流動する穀物の部位に対する面が転換されるように回転するよう構成された穀物乾燥機において、遠赤外線放射体の一端は遠赤外線放射体の軸方向に対して、移動しないよう構成されたことを特徴とするものである。
【００１１】
請求項３に係る遠赤外線利用の穀物乾燥機は、穀物乾燥機の本体の上段に穀物貯留槽、中段に通風乾燥部、下段に穀物取出槽をそれぞれ設け、穀物貯留槽に貯留した穀物を通風乾燥部、穀物取出槽、穀物貯留槽の経路で循環流動させながら通風乾燥部で通風乾燥し、穀物取出槽内に、通風乾燥部から穀物が散粒状ないし薄層状に流下する穀物に遠赤外線を照射する遠赤外線放射体を設けて、この遠赤外線放射体を時間の経過に伴って流動する穀物に対向する面が転換されるように回転するよう構成された穀物乾燥機において、遠赤外線放射体の一端は遠赤外線放射体の軸方向に対して、移動しないよう構成されたことを特徴とするものである。
【００１２】
請求項４係る遠赤外線利用の穀物乾燥機は、請求項１または請求項３記載の遠赤外線利用の穀物乾燥機において、遠赤外線放射体の一端は遠赤外線放射体の軸方向に対して、移動しないよう構成し、他端は遠赤外線放射体の膨張によって生じた伸長のズレを修正する回転駆動部を設けたことを特徴とするものである。
【００１３】
請求項５に係る遠赤外線利用の穀物乾燥機は、請求項１ないし請求項４のいずれかに記載の遠赤外線利用の穀物乾燥装置において、遠赤外線放射体の回転動力は、穀物取出槽の繰出ロールから伝達を受けることを特徴とするものである。
【００１４】
請求項６に係る遠赤外線利用の穀物乾燥機は、請求項１ないし請求項５のいずれかに記載の遠赤外線利用の穀物乾燥装置において、遠赤外線放射体の一端に設けられた遠赤外線放射体の軸方向に対して、移動しないよう構成された軸受装置には、外気吸気口を用いた冷却口を備えたことを特徴とする特徴とするものである。
【００１５】
請求項７に係る遠赤外線利用の穀物乾燥機は、請求項１ないし請求項６のいずれかに記載の遠赤外線利用の穀物乾燥装置において、遠赤外線放射体の両端に設けられた軸受のコロの素材をリン青銅としたことを特徴とするものである。
【００１６】
【発明の実施の形態】
図１には本発明の実施の形態に係る遠赤外線利用の穀物乾燥機の断面図。図２には本発明の実施の形態に係る遠赤外線利用の穀物乾燥機の斜視図。図３には本発明の第１の実施を示す遠赤外線利用の穀物乾燥機の遠赤外線放射体部斜視図。図４には本発明の第１の実施を示す遠赤外線放射体の一端の詳細を表した断面図。図５には図４の軸受を表した斜視図。図６は本発明の第１の実施の他例１を示す遠赤外線放射体の一端の詳細断面図。図７は図６の軸受を表した斜視図。図８は本発明の第１の実施の他例２を示す遠赤外線放射体の一端の詳細断面図。図９は図８の斜視図。図１０は本発明の実施の形態に係る遠赤外線利用の駆動部と穀物乾燥機の遠赤外線放射体の他端を示す斜視図。図１１は本発明の第２の実施の形態を示す遠赤外線放射体の他端の断面図。図１２は本発明の第２の実施の形態の動作を示す遠赤外線放射体の他端の断面図。図１３は本発明の第２の実施の他例を示す遠赤外線放射体の他端の断面図である。
【００１７】
散粒状ないし薄層状に流動する部位の穀物に対向させて遠赤外線放射体１５が設けられている。遠赤外線放射体１５は遠赤外線放射体１５が熱膨張で軸方向に伸長しても、穀物が散粒状ないし薄層状に流動する穀物の部位に対する面が転換されるように回転するよう構成されているので、遠赤外線放射体１５の温度差による遠赤外線放射体１５の伸長差があっても、遠赤外線放射体１５は均一に回転するので、遠赤外線放射体１５から発生される遠赤外線を均等に散粒状ないし薄層状に流動する穀物にまんべんなく照射することができる。
【００１８】
また、散粒状ないし薄層状に流動する部位の穀物に対向させて遠赤外線放射体１５を設け、遠赤外線放射体１５は穀物が散粒状ないし薄層状に流動する穀物の部位に対する面が転換されるように回転するよう構成された穀物乾燥機１において、遠赤外線放射体１５の一端は遠赤外線放射体１５の軸方向に対して、移動しないよう構成されている。
【００１９】
特に、穀物乾燥機１の本体の上段に穀物貯留槽２、中段に通風乾燥部３、下段に穀物取出槽４をそれぞれ設けられた穀物乾燥機１においては、穀物貯留槽２に貯留した穀物を通風乾燥部３、穀物取出槽４、穀物貯留槽２の経路で循環流動させながら通風乾燥部３で通風乾燥し、穀物取出槽４内に、通風乾燥部３から穀物が散粒状ないし薄層状に流下する穀物に遠赤外線を照射する遠赤外線放射体１５を設けていて、この遠赤外線放射体１５を時間の経過に伴って流動する穀物に対向する面が転換されるように回転するよう構成された穀物乾燥機１において、遠赤外線放射体１５の一端は遠赤外線放射体１５の軸方向に対して移動しないよう構成されているので、遠赤外線放射体１５と遠赤外線放射体１５の一端側に取り付けられたバーナ１７との距離は常に一定で急激な温度変化が無く、安定したバーナ１７の燃焼と均一な遠赤外線放射が得られ、特に高温となる軸受け部の構造を簡素化し、故障の発生の防止にも役立っている。
【００２０】
【実施例】
図１において１は穀物乾燥機である。穀物乾燥機１の本体の上段には穀物貯留槽２が、中段には通風乾燥部３が、さらに下段には穀物取出槽４がそれぞれ設けられている。穀物取出槽４の下部にはその前後方向全長にわたる穀物搬出コンベア５が設けられており、穀物搬出コンベア５と穀物貯留槽２の上方の上部コンベア６間は昇降機７によって連絡されていて、穀物搬出コンベア５、昇降機７および上部コンベア６を介して、穀物貯留槽２、通風乾燥部３、穀物取出槽４、穀物貯留槽槽２の経路で穀物が循環されるように構成されている。
【００２１】
前記通風乾燥部３は通気壁により形成された複数の乾燥通路８をなしていて、その乾燥通路８を構成する熱風供給胴は、熱風供給室９に連通し、排風胴は排風室１０に連通しており、排風室１０には吸引送風機１１が備えられている。
【００２２】
穀物取出槽４は、その上部両側から穀物搬出コンベア５の搬送樋１２にかけて傾斜する流穀板１３と両側壁１４とで囲まれて形成されている。
【００２３】
穀物取出槽４内には、遠赤外線放射体１５が配設されており、この遠赤外線放射体１５は、穀物取出槽４の前後方向略全長にわたる円筒形のものである。この遠赤外線放射体１５から放射される遠赤外線は、通風乾燥部３の乾燥通路８から繰出ロール１６の回転により繰り出されて、流穀板１３面上を穀物が散粒状ないし薄層状に流下する穀物に照射される。遠赤外線放射体１５の一端には、ガンタイプのバーナ１７の炎熱放射筒１８が軸心に臨ませてあり、遠赤外線放射体１５の他端に排気筒１９が軸心に接続されている。この排気筒１９は熱風供給室９に導かれていて、その接続部に遠赤外線放射体１５側から排気を吸引する吸引圧力調整器２０が介在されている。遠赤外線放射体１５は、燃料の燃焼により穀物の乾燥に適した波長の遠赤外線を放射するものである。
【００２４】
前記遠赤外線放射体１５の上方には、反射板２１が設けられている。この反射板２１は、遠赤外線放射体１５から放射される遠赤外線を流穀板１３，１３の方向に拡散状に反射して、流穀板１３の面上を流下する穀物に遠赤外線を均等に照射するためのものである。したがって、その形状および遠赤外線放射体１５からの距離等は、流穀板１３の面に向けて遠赤外線を均等に照射するのに適した状態に設定される。反射板２１はアルミニウム、ステンレススチール等の磨き板で構成される。
【００２５】
遠赤外線放射体１５は、両端の軸支部Ａ２２と軸支部Ｂ２３によって支えられ、それぞれの軸支部は軸受、軸受外メタル、押さえ材から形成されて回転自在であり（図３）、遠赤外線放射体１５のスプロケットＡ３０と前記繰出ロール１６のスプロケットＢ３９とに懸架したチェーン４０により、遠赤外線放射体１５は繰出ロール１６に連動して低速で連続回転するようになっている（図１０）。なお、ガンタイプのバーナ１７と排気筒１９は遠赤外線放射体１５の回転を妨げない構造でそれぞれ接続されている。
【００２６】
遠赤外線放射体１５の一端の軸支部Ａ２２は、乾燥機の両側壁１４の外面に取り付けられた大軸受外メタル２５と、ガイドプレート３４で連結されたリン青銅のコロＡ３３からなる輪状の大軸受Ａ２４（図５）と押さえ材Ａ２６で構成されており、図４のように大軸受Ａ２４の輪内には遠赤外線放射体１５の炎熱放射筒１８を通し、大軸受Ａ２４は大軸受外メタル２５に内装され、遠赤外線放射体１５の放射体フランジ４３を大軸受外メタル２５に止められた押さえ材Ａ２６によって挟み込んだ構成になっている。
【００２７】
この場合、大軸受Ａ２４と大軸受外メタル２５と放射体フランジ４３及び押さえ材Ａ２６には若干の隙間があり、遠赤外線放射体１５の回転を容易に行なうものであるが、遠赤外線放射体１５は穀物乾燥機１の本体の長辺方向に対し、放射体フランジ４３を基準にする構成となっている。
【００２８】
前記のように構成された図４では、大軸受外メタル２５には軸支部Ａ２２を包み込むようにバーナベース３１が取り付けられ、バーナベース３１には遠赤外線放射体１５の中心部になるようにバーナ１７が取り付けられていて、押さえ材Ａ２６とはある程度の間隔を保って取り付けられており、バーナベース３１には大軸受Ａ２４と大軸受外メタル２５の位置に対向するように外気吸引口３２が設けられている。またバーナ１７は放射体フランジ４３のバーナ穴と少しの間隔を保って炎熱放射筒１８の内部に達している。
【００２９】
図７には前記の実施の他例として、大軸受Ｂ３５を構成するコロＡ３３といくつかのガイドプレート３４の中間にリン青銅からなるコロＢ３６を設けたものである。このコロＢ３６はコロＡ３３の全長より若干径が大きくなっていて、コロＡ３３が大軸受外メタル２５と放射体フランジ４３との接触を防止するものである。この大軸受Ｂ３５を装着した軸支部Ａ２２を図６に示す。
【００３０】
図８には、図７の構成の大軸受Ｂ３５を大軸受外メタル２５に内装して、更に押さえ材Ｃ３７にリン青銅からなるコロＣ３８を取り付けたものである。放射体フランジ４３をコロＢ３６とコロＣ３８で前後を挟み込んでいるので、コロＡ３３が大軸受外メタル２５または放射体フランジ４３と接触することなく若干の隙間をもって回転することが出来ほか、放射体フランジ４３と押さえ材との接触も防止できる。なお、押さえ材Ｃ３７はコロ３８を常に放射体フランジ４３に押し付ける弾性体であっても良い。
【００３１】
遠赤外線放射体１５の他端の軸支部Ｂ２３に支えられる、放射体排気筒４４の先端にはスプロケットＡ３０が取り付けられ、繰出ロール１６に設けられたスプロケットＢ３９とチェーン４０で懸架されているので、遠赤外線放射体１５は繰出ロール１６に連動して低速で連続回転するようになっている（図１０）。支持部Ｂ２３は、両側壁１４の外側に取り付けられた小軸受外メタル２８とそれに内装された小軸受２７と、小軸受外メタル２８に固定された押さえ材Ｂ２９とで構成されており、小軸受２７は小軸受外メタル２８と押さえ材Ｂ２９に若干の隙間があるように配置され、小軸受２７の内輪に接触する放射体排気筒４４が容易に回転できる構造になっている。
【００３２】
また、軸支部Ｂ２３の軸受も軸支部Ａ２２のようにコロＡ３３とガイドプレート３４だけの構成と、コロＡ３３とガイドプレート３４とガイドプレート３４の中間部にコロＢ３６を用いた軸受であってもよい（図示せず）。
【００３３】
軸支部Ｂ２３側の繰出ロール１６の軸は、加熱前の遠赤外線放射体１５の放射体排気筒４４より放射体加熱中の膨張長さと同等か又はそれ以上の長さであって、繰出ロール１６の軸とスプロケットＢ３９の接触面には、スプロケットＢ３９に追従する滑りカラー４２があって繰出ロール１６の軸を前後方向に容易に移動できるものである。なお、スプロケットＢ３９が前後できる範囲にはキー４１があり、空回りを防止するようになっている（図１１・１２）。
【００３４】
また、この滑りカラー４２はスプロケットＡ３０と放射体排気筒４４の接触面にあって、滑りカラー４２がスプロケットＡ３０に追従して前後に移動し、放射体排気筒４４と空回りしない構造であっても良い（図１３）。
【００３５】
以上のように構成された遠赤外線利用の穀物乾燥機において、穀物貯留槽２から通風乾燥部３の乾燥通路８を流下する穀物は、熱風供給室９から熱風供給胴を経て乾燥通路８を横切り排風胴に流通して排風室１０に流通する吸引熱風で通風乾燥される。そして、通風乾燥部３で通風乾燥された穀物は、各乾燥通路８の下端にはそれぞれ備えられた繰出ロール１６の回転により散粒状ないし薄層状をなして穀物取出槽４内の流穀板１３上を流下し、その流下の過程で遠赤外線放射体１５から遠赤外線が照射され、遠赤外線による乾燥が施される。
【００３６】
遠赤外線放射体１５は、繰出ロール１６の軸に取り付けられたスプトケットＢ３９に懸架されたチェーン４０を連動して遠赤外線放射体１５の放射体排気筒４４に取り付けたスプロケットＡ３０を介して低速で回転している。
【００３７】
軸支部Ａ２２では、大軸受外メタル２５と大軸受Ａ２４（大軸受Ｂ３５）と、押さえ材Ａ２６（押さえ材Ｃ３７）とで放射体フランジ４３が遠赤外線放射体１５の軸方向に対して前後方向の移動を固定された構造であっても、容易に遠赤外線放射体１５が回転できるようになっていて、バーナ１７の燃焼が開始され遠赤外線放射体１５の温度が上昇し遠赤外線放射体１５が熱膨張しても、放射体フランジ４３の位置の変更はない。
【００３８】
前述したように、通常遠赤外線利用の穀物乾燥機に使用されている遠赤外線放射体１５はステンレス鋼を使用していることが多いので、例えばＳＵＳ３０４の熱膨張係数は１８．９×１０−６／℃（０〜７００℃）であって、遠赤外線放射体１５の全長を２０００ｍｍとし、遠赤外線放射体１５の表面温度を７００℃とすると放射体の伸びる長さは約２５ｍｍになる。
【００３９】
軸支部Ａ２２では遠赤外線放射体１５の放射体フランジ４３が遠赤外線放射体１５の軸方向に対して前後方向の移動を固定されているので、この遠赤外線放射体１５の伸びは軸支部Ｂ２３方向のみに請け負わせることとなる。よって図１２のように炎熱放射筒１８の膨張により放射排気筒４４の端部にあるスプロケットＡ３０ごと乾燥機外部方向に移動し、それに伴ってチェーン４０が斜めになるので、それを修正しようとスプロケットＢ３９が遠赤外線放射体１５の伸びに準じて繰出ロール１６の軸上を乾燥機外部方向に移動するものである。
【００４０】
また、図１３のように滑りカラー４２をスプロケットＢ３９に設けた構成であっては、遠赤外線放射体１５の伸びをスプロケットＢ３９が放射排気筒４４を炎熱放射筒１８方向に移動することとなる。
【００４１】
なお、遠赤外線放射体１５は低速で定回転しているので、バーナ１７の燃焼が炎熱放射筒１８に対して均等に行われるので膨張の偏りが無いのも特徴といえる。
【００４２】
軸支部Ａ２２及び軸支部Ｂ２３のコロＡ３３、コロＢ３６、コロＣ３８の素材はリン青銅からなり、耐熱性、磨耗性を向上させているが、リン青銅自体の耐熱温度が約６５０℃ほどであるので、遠赤外線放射体１５の表面温度を７００℃近くにしてしまうと、それぞれの軸受特に軸支部Ａ２２のコロは限界点を超えてしまうことになる。軸支部Ｂ２３のリン青銅のコロにおいては、遠赤外線放射体１５の表面温度を７００℃近くにしても炎熱放射筒１８で遠赤外線としてエネルギーを放射してしまうので、放射体排気筒４４に達する頃には温度も５００℃ほどになり冷却する必要は無い。
【００４３】
しかし軸支部Ａ２２に設けられたコロは遠赤外線放射体１５の表面温度の上昇と共に温度が上がるので、大軸受Ａ２４と大軸受外メタル２５の位置に対向するように外気吸引口３２から吸引送風機１１の吸引効果で外気を若干吸引し、外気吸引口に隣接するリン青銅のコロの限界温度を超えることなく冷却するものである。なお、放射体フランジ４３は遠赤外線放射体１５自体熱膨張しても設置位置が変わらないので、バーナベース３１と放射体フランジ４３との隙間距離は変わることなく、取り入れる外気量の変化はない。
【００４４】
本実施例では、遠赤外線放射体１５の軸方向に対して前後に移動しない面を、軸支部Ａ２２《大軸受外メタル２５と大軸受Ａ２４（大軸受Ｂ３５）と、押さえ材Ａ２６（押さえ材Ｃ３７）と放射体フランジ４３の構成》として、その面にはバーナ１７が取り付けられているので，遠赤外線放射体１５とバーナ１７との距離は常に一定にでき、急激な温度変化が無く安定したバーナ１７の燃焼と均一な遠赤放射が期待できる。
【００４５】
また、遠赤外線放射体１５のバーナ１７に近い軸支部Ａ２２を遠赤外線放射体１５の軸方向に対して前後に移動しない面としたことは、遠赤外線放射体１５の特に高温となる軸受け部の構造を簡素化し、故障の発生の防止にも役立っている。
【００４６】
【発明の効果】
本発明によれば、遠赤外線放射体の熱膨張に対応した遠赤外線放射体の軸受または遠赤外線放射体の駆動装置を備えたことによって、遠赤外線放射体の回転停止、異音の発生をなくして、穀物に均等に遠赤外線を照射させることで高品質で効率よく乾燥できる遠赤外線利用の穀物乾燥機を提供することが出来る。
【図面の簡単な説明】
【図１】本発明の実施の形態に係る遠赤外線利用の穀物乾燥機の断面図である。
【図２】本発明の実施の形態に係る遠赤外線利用の穀物乾燥機の斜視図である。
【図３】本発明の第１の実施を示す遠赤外線利用の穀物乾燥機の遠赤外線放射体部斜視図である。
【図４】本発明の第１の実施を示す遠赤外線放射体の一端の詳細を表した断面図である。
【図５】図４の軸受部品を表した斜視図である。
【図６】本発明の第１の実施の他例１を示す遠赤外線放射体の一端の詳細断面図である。
【図７】図６の軸受部品を表した斜視図である。
【図８】本発明の第１の実施の他例２を示す遠赤外線放射体の一端の詳細断面図である。
【図９】図８の斜視図である。
【図１０】本発明の実施の形態に係る遠赤外線利用の駆動部と穀物乾燥機の遠赤外線放射体の他端を示す斜視図である。
【図１１】本発明の第２の実施の形態を示す遠赤外線放射体の他端の断面図である。
【図１２】本発明の第２の実施の形態の動作を示す遠赤外線放射体の他端の断面図である。
【図１３】本発明の第２の実施の他例を示す遠赤外線放射体の他端の断面図である。
【符号の説明】
１  穀物乾燥機
２  穀物貯留槽
３  通風乾燥部
４  穀物取出槽
５  穀物搬出コンベア
６  上部コンベア
７  昇降機
８  乾燥通路
９  熱風供給室
１０  排風室
１１  吸引送風機
１２  搬送樋
１３  流穀板
１４  両側壁
１５  遠赤外線放射体
１６  繰出ロール
１７  バーナ
１８  炎熱放射筒
１９  排気筒
２０  吸引圧力調整器
２１  反射板
２２  軸支部Ａ
２３  軸支部Ｂ
２４  大軸受Ａ
２５  大軸受外メタル
２６  押さえ材Ａ
２７  小軸受
２８  小軸受外メタル
２９  押さえ材Ｂ
３０  スプロケットＡ
３１  バーナベース
３２  外気吸引口
３３  コロＡ
３４  ガイドプレート
３５  大軸受Ｂ
３６  コロＢ
３７  押さえ材Ｃ
３８  コロＣ
３９  スプロケットＢ
４０  チェーン
４１  キー
４２  滑りカラー
４３  放射体フランジ
４４  放射体排気筒
【図１】
2004301463.tif 000003
【図２】
2004301463.tif 000004
【図３】
2004301463.tif 000005
【図４】
2004301463.tif 000006
【図５】
2004301463.tif 000007
【図６】
2004301463.tif 000008
【図７】
2004301463.tif 000009
【図８】
2004301463.tif 000010
【図９】
2004301463.tif 000011
【図１０】
2004301463.tif 000012
【図１１】
2004301463.tif 000013
【図１２】
2004301463.tif 000014
【図１３】
2004301463.tif 000015